(57)【要約】【課題】調光信号に基づいて調光制御するＬＥＤ照明システム１００において配線を減らして施工性を高めることを目的とする。【解決手段】ＬＥＤ照明システム１００はＡＣ／ＤＣ変換部１１０、調光インタフェース部１２０および電流制御部１３０を備える。ＡＣ／ＤＣ変換部１１０は電源の交流電圧を直流電圧に変換する。調光インタフェース部１２０は調光情報を表すパルス信号を出力する調光器１０２に接続し、ＡＣ／ＤＣ変換部１１０により得られる直流電圧を調光器１０２から出力されるパルス信号の電圧の高低に合わせて電圧の正負が変化するパルス電圧に変換する。電流制御部１３０は光源に接続し、調光インタフェース部１２０により得られるパルス電圧を電力として光源を点灯させると共にパルス電圧の正負に基づいて光源を調光する。【選択図】図１
2010287372.tif 000002
【特許請求の範囲】
【請求項１】
電源の交流電圧を直流電圧に変換する電圧変換部と、
調光情報を表すパルス信号を出力する調光器に接続し、前記電圧変換部により得られる直流電圧を前記調光器から出力されるパルス信号の電圧の高低に合わせて電圧の正負が変化するパルス電圧に変換する調光インタフェース部と、
光源に接続し、前記調光インタフェース部により得られるパルス電圧を電力として前記光源を点灯させると共に前記パルス電圧の正負に基づいて前記光源を調光する光源制御部と
を備えたことを特徴とする点灯装置。
【請求項２】
前記調光インタフェース部は、前記光源制御部と２つの電線で接続し、前記パルス信号が高電圧のときに第１の電線を正側とし、前記パルス信号が低電圧のときに第２の電線を正側とし、前記第１の電線と前記第２の電線とを介して前記パルス電圧を前記光源制御部に出力する
ことを特徴とする請求項１記載の点灯装置。
【請求項３】
前記光源制御部は、
前記パルス電圧を整流する整流部と、
前記パルス電圧を前記パルス信号の電圧に変える電圧変更部と、
前記整流部により整流されたパルス電圧を電源電力として入力し、前記電圧変更部により電圧が変えられたパルス電圧を前記パルス信号に相当する調光信号として入力し、入力電力を用いて前記光源を点灯させると共に前記調光信号に基づいて前記光源を調光する調光部とを備えた
ことを特徴とする請求項１または請求項２記載の点灯装置。
【請求項４】
前記点灯装置は、前記光源制御部を複数備え、
複数の光源制御部は、前記調光インタフェース部に並列に接続する
ことを特徴とする請求項１〜請求項３いずれかに記載の点灯装置。
【請求項５】
前記電圧変換部は、電源の交流電圧を前記光源となるＬＥＤの降下電圧以上で且つ小勢力回路の規定電圧以下の直流電圧に変換する
ことを特徴とする請求項１〜請求項４いずれかに記載の点灯装置。
【請求項６】
前記調光インタフェース部は、前記パルス電圧の波形を台形形状にして前記パルス電圧を前記光源制御部に出力する
ことを特徴とする請求項１〜請求項５いずれかに記載の点灯装置。
【請求項７】
前記調光インタフェース部は、電圧の正負の期間割合が前記パルス信号の電圧の高低の期間割合に対応し、周波数が前記電源の交流電圧の周波数より高い電圧を前記パルス電圧とする
ことを特徴とする請求項１〜請求項６いずれかに記載の点灯装置。
【請求項８】
前記調光インタフェース部は、前記調光器から前記パルス信号の出力が無い場合、電圧の正負が変化しないパルス電圧を出力し、
前記光源制御部は、前記パルス電圧に正負の変化が無い場合、前記光源を最大照度で点灯する
ことを特徴とする請求項１〜請求項７いずれかに記載の点灯装置。
【請求項９】
前記調光インタフェース部は、前記パルス信号のオン信号が所定値以上の長さのとき、光源を消灯させるパルス電圧を前記光源制御部に出力する
ことを特徴とする請求項１〜請求項８いずれかに記載の点灯装置。
【請求項１０】
前記調光インタフェース部は、前記パルス信号のオン信号が所定値以下の長さのとき、光源の明るさを最大とさせるパルス電圧を前記光源制御部に出力する
ことを特徴とする請求項１〜請求項８いずれかに記載の点灯装置。
【請求項１１】
請求項１〜請求項１０いずれかに記載の点灯装置と、
前記点灯装置と光源とを取り付ける器具本体と
を有することを特徴とする照明器具。
【請求項１２】
請求項１１記載の照明器具と、
前記点灯装置に接続し、調光情報を表す特定のパルス信号を前記点灯装置に出力する調光器と
を有することを特徴とする照明制御システム。
【発明の詳細な説明】
【技術分野】
【０００１】
本発明は、例えば、ＬＥＤを光源とする点灯装置、照明器具および照明制御システムに関するものである。
【背景技術】
【０００２】
従来、電源部と光源部とを分離した場合、電源部と光源部とを２本の電源線と２本の調光線との計４線で接続する必要があった。
また、特許文献１では、電源部とＬＥＤモジュールとを電源線で接続すると共に調光部とＬＥＤモジュールとを調光線で接続している。
【先行技術文献】
【特許文献】
【０００３】
【特許文献１】特開２００８−３０４６９４号公報
【発明の概要】
【発明が解決しようとする課題】
【０００４】
従来技術では、系統（電源部と接続する光源部の数やＬＥＤモジュールの数）が増えた場合、送り配線が複雑になるため施工性が低下する。
また、系統を増やさないために一つの光源部またはＬＥＤモジュールに光源とする全てのＬＥＤを直列に接続した場合、ＬＥＤが一個でもオープン故障すると全消灯するという不具合が生じる。
【０００５】
本発明は、例えば、配線を減らして施工性を高めることを目的とする。
【課題を解決するための手段】
【０００６】
本発明の点灯装置は、電源の交流電圧を直流電圧に変換する電圧変換部と、調光情報を表すパルス信号を出力する調光器に接続し、前記電圧変換部により得られる直流電圧を前記調光器から出力されるパルス信号の電圧の高低に合わせて電圧の正負が変化するパルス電圧に変換する調光インタフェース部と、光源に接続し、前記調光インタフェース部により得られるパルス電圧を電力として前記光源を点灯させると共に前記パルス電圧の正負に基づいて前記光源を調光する光源制御部とを備える。
【発明の効果】
【０００７】
本発明によれば、例えば、配線を減らして施工性を高めることができる。
【図面の簡単な説明】
【０００８】
【図１】実施の形態１におけるＬＥＤ照明システム１００の基本ブロック図。
【図２】実施の形態１における調光信号、信号重畳電圧および抽出信号の波形を示す図。
【図３】実施の形態１における調光信号のＯｎ−Ｄｕｔｙと調光信号が表す照明の明るさとの関係を示すグラフの一例。
【図４】実施の形態１におけるＡＣ／ＤＣ変換部１１０の回路図。
【図５】実施の形態１における調光インタフェース部１２０の回路図。
【図６】実施の形態１における電流制御部１３０の回路図。
【図７】実施の形態１におけるＬＥＤに流れる電流波形を示す図。
【発明を実施するための形態】
【０００９】
実施の形態１．
電源電圧に調光信号を重畳させて光源部への配線数を減らした点灯装置、照明器具および照明システムについて説明する。
【００１０】
図１は、実施の形態１におけるＬＥＤ照明システム１００の基本ブロック図である。
実施の形態１におけるＬＥＤ照明システム１００の概要について、図１に基づいて以下に説明する。
【００１１】
利用者は、ＬＥＤ照明システム１００の調光器１０２を操作して照明の明るさを調整する。
【００１２】
ＬＥＤ照明システム１００は、調光器１０２、電源部１０３および２つの光源部（１０４ａ、１０４ｂ）を有する。
電源部１０３はＡＣ／ＤＣ変換部１１０と調光インタフェース部１２０とを有し、各光源部は電流制御部（１３０ａ、１３０ｂ）とＬＥＤ光源部（１４０ａ、１４０ｂ）とを有する。
【００１３】
調光器１０２は、商用電源１０１ｂと調光インタフェース部１２０とに接続し、利用者の操作に応じた調光信号を調光インタフェース部１２０に出力する。
【００１４】
ＡＣ／ＤＣ変換部１１０は、商用電源１０１ａと調光インタフェース部１２０とに接続し、商用電源１０１ａの交流電圧を直流電圧に変換する。
【００１５】
調光インタフェース部１２０は、ＡＣ／ＤＣ変換部１１０と調光器１０２とに接続し、ＡＣ／ＤＣ変換部１１０により得られた直流電圧に調光器１０２から出力された調光信号を重畳させる。
調光インタフェース部１２０は、さらに、２つの電流制御部（１３０ａ、１３０ｂ）と２本の電線で接続し、調光信号を重畳させた電圧（以下、「信号重畳電圧」という）を２本の電線を介して各電流制御部に出力する。
【００１６】
電流制御部１３０ａと電流制御部１３０ｂとは、２本の電線で並列に調光インタフェース部１２０と接続すると共に、それぞれに別のＬＥＤ光源部（１４０ａ、１４０ｂ）と接続する。
ＬＥＤ光源部１４０ａおよびＬＥＤ光源部１４０ｂは、それぞれ、複数のＬＥＤが直列に接続される。
【００１７】
電流制御部１３０ａと電流制御部１３０ｂとは、それぞれに、２本の電線を介して調光インタフェース部１２０から信号重畳電圧を入力し、信号重畳電圧を電力としてＬＥＤ光源部（１４０ａ、１４０ｂ）のＬＥＤ群を点灯すると共に信号重畳電圧に基づいてＬＥＤ群を調光する。
【００１８】
ＬＥＤ照明システム１００は、ＡＣ／ＤＣ変換部１１０と電流制御部１３０とを繋ぐ電線が不要であり、電源部１０３と光源部１０４とを２線で接続して調光を行える、という特徴を有する。
【００１９】
電源部１０３と光源部１０４（ＬＥＤを除く）とは、ＬＥＤ照明システム１００の点灯装置を構成する。
点灯装置（電源部１０３、光源部１０４）と、点灯装置および光源が取り付けられる器具本体（図示省略）とは、ＬＥＤ照明システム１００の照明器具を構成する。
照明器具と調光器１０２とは、ＬＥＤ照明システム１００を構成する。
【００２０】
以下に、ＬＥＤ照明システム１００を構成する調光器１０２、ＡＣ／ＤＣ変換部１１０、調光インタフェース部１２０および電流制御部１３０について説明する。
【００２１】
まず、調光器１０２について説明する。
調光器１０２は、明るさ（照度）などの調光情報をパルス幅変調により表した信号（以下、「ＰＷＭ信号」という）を「調光信号」として出力する。
【００２２】
図２は、実施の形態１における調光信号、信号重畳電圧および抽出信号の波形を示す図である。
調光信号は、図２（１）に示すように、振幅（電圧）が最大値または最小値に変化するパルス信号（矩形波の信号）である。
実施の形態１において、調光信号の電圧の最大値を「１２Ｖ」、最小値を「０Ｖ」とし、調光信号の周波数を「１ｋＨｚ」とする。
【００２３】
調光信号は、パルス波のオン（最大電圧時）／オフ（最小電圧時）の時間割合（デューティー比）により、特定の調光情報を表す。「明るさ」は調光情報の一例である。
【００２４】
図３は、実施の形態１における調光信号のＯｎ−Ｄｕｔｙと調光信号が表す照明の明るさとの関係を示すグラフの一例である。
図３（１）（２）に示すように、調光信号は、最大電圧時の時間割合（Ｏｎ−Ｄｕｔｙ）が小さいほど明るく、最大電圧時の時間割合が大きいほど暗い「明るさ」を表すものとする。
また、調光信号は、Ｏｎ−Ｄｕｔｙが所定の割合以下（図３（２）では「５％以下」）の場合に最大点灯、Ｏｎ−Ｄｕｔｙが所定の割合以上（図３（２）では「９５％以上」）の場合に消灯を表すものとする。時間割合に幅を設けることにより、最大点灯または消灯の操作に対する誤動作を防ぐことができる。
【００２５】
利用者に操作された調光器１０２は、操作により指定された明るさに応じてＯｎ−Ｄｕｔｙを変化させたＰＷＭ信号を調光信号として出力する。
【００２６】
図４は、実施の形態１におけるＡＣ／ＤＣ変換部１１０の回路図である。
実施の形態１におけるＡＣ／ＤＣ変換部１１０について、図４に基づいて以下に説明する。
【００２７】
ＡＣ／ＤＣ変換部１１０は、商用電源１０１ａからの交流電圧（例えば、１００Ｖまたは２００Ｖ）を直流電圧に変換する回路である。
【００２８】
ＡＣ／ＤＣ変換部１１０は、フライバック電源回路を構成する。
【００２９】
コンデンサＣ１１、インダクタンスＬ１１およびコンデンサＣ１２は、ノイズフィルタを構成し、後述する電源制御回路ＩＣ１１のスイッチングノイズを減衰させる。
商用電源１０１ａからの交流電圧（Ｖｉｎ）は、ダイオードブリッジＤＢ１１で整流され、コンデンサＣ１３で平滑され、「Ｖｉｎ×√２」の直流電圧に変換される。
電源制御回路ＩＣ１１はスイッチ回路（ＦＥＴ：電界効果トランジスタ）と比較回路とで構成され、スイッチ回路を「ＯＮ」にしてトランスＴ１１の一次側に電流を流す。トランスＴ１１の一次側に電流が流れるとトランスＴ１１の二次側に電流が流れる。
抵抗Ｒ１１およびコンデンサＣ１４はスナバ回路を構成し、トランスＴ１１の発生するノイズを低減する。
トランスＴ１１の二次側に流れる電流は、ダイオードＤ１１を介して調光インタフェース部１２０に直流電圧を発生させる。このとき、調光インタフェース部１２０には以下のように直流の定電圧が発生する。
【００３０】
ＡＣ／ＤＣ変換部１１０では、調光インタフェース部１２０に発生する直流電圧が抵抗Ｒ１２と抵抗Ｒ１３とで分圧され、抵抗Ｒ１３に掛かる電圧がシャントレギュレータＩＣ１３に入力される。シャントレギュレータＩＣ１３はフォトカプラＩＣ１２の一次側（ダイオード）に接続する。
シャントレギュレータＩＣ１３の入力電圧（抵抗Ｒ１３に係る電圧）が所定の基準電圧を超えていると、フォトカプラＩＣ１２の一次側（ダイオード）に電流が流れ、フォトカプラＩＣ１２の二次側（トランジスタ）から電源制御回路ＩＣ１１の制御端子に電流が流れる。
電源制御回路ＩＣ１１は、制御端子に電流が流れると、スイッチ回路を「ＯＦＦ」にしてトランスＴ１１への電流出力を止める。
【００３１】
これにより、ＡＣ／ＤＣ変換部１１０から調光インタフェース部１２０に直流の定電圧が出力される。
定電圧は、ＬＥＤ光源部に接続されるＬＥＤ群のＶｆ（順方向降下電圧）以上で且つ小勢力回路の規定電圧（ＤＣ４５Ｖ、ＡＣ３０Ｖ）以下である。
【００３２】
図５は、実施の形態１における調光インタフェース部１２０の回路図である。
実施の形態１における調光インタフェース部１２０について、図５に基づいて以下に説明する。
【００３３】
調光インタフェース部１２０は、ＡＣ／ＤＣ変換部１１０からの直流電圧に調光器１０２からの調光信号を重畳させ、信号重畳電圧を２本の電線を介して各電流制御部１３０（１３０ａ、１３０ｂ）に出力する回路である。
【００３４】
調光器１０２からの調光信号は調光インタフェース部１２０のコネクタＣＮ２１（ＩＮ２１が高電位（＋）側）を介してダイオードブリッジＤＢ２１により整流され、フォトカプラＩＣ２１の一次側に電流として流れる。抵抗Ｒ２１はフォトカプラＩＣ２１の一次側に流れる電流を制限する。フォトカプラＩＣ２１の一次側に電流が流れると光結合によりフォトカプラＩＣ２１の二次側に電流が流れる。
【００３５】
フォトカプラＩＣ２１の二次側に電流が流れるとフォトカプラＩＣ２１の二次側に接続する抵抗Ｒ２２に電流が流れて抵抗Ｒ２２に電圧が発生する。
トランジスタＱ２１（ＮＰＮ型、エミッタ接地）とトランジスタＱ２２（ＮＰＮ型、エミッタ接地）とは抵抗Ｒ２２の高電位側にベースが接続し、抵抗Ｒ２２に電圧が発生すると「ＯＮ」になる。
【００３６】
トランジスタＱ２１が「ＯＮ」になると、トランジスタＱ２１のコレクタ側からエミッタ側へ電流が流れ、コレクタに接続する抵抗Ｒ２３に電圧が発生し、コレクタの電位が低電位（Ｌｏｗ）になる。
並列に接続するトランジスタＱ２６（ＰＮＰ型）とトランジスタＱ２７（ＮＰＮ型）とは、トランジスタＱ２１のコレクタにベースが接続する。
トランジスタＱ２１のコレクタの電位が低電位になるとトランジスタＱ２６が「ＯＮ」になり、トランジスタＱ２７が「ＯＦＦ」になる。
「ＯＮ」になったトランジスタＱ２６にはエミッタ側からコレクタ側への電流が流れ、トランジスタＱ２６のコレクタ側に接続するコネクタＣＮ２２の出力端子ＯＵＴ２２に電流が流れる。
【００３７】
トランジスタＱ２２が「ＯＮ」になると、トランジスタＱ２２のコレクタ側からエミッタ側へ電流が流れ、コレクタに接続する抵抗Ｒ２４に電圧が発生し、コレクタの電位が低電位になる。
トランジスタＱ２３（ＮＰＮ型、エミッタ接地）はトランジスタＱ２２のコレクタにベースが接続し、トランジスタＱ２２のコレクタの電位が低電位になると「ＯＦＦ」になる。トランジスタＱ２３が「ＯＦＦ」になると、トランジスタＱ２３のコレクタ側からエミッタ側へ電流が流れず、コレクタに接続する抵抗Ｒ２５に電圧が発生せず、コレクタの電位が高電位（Ｈｉｇｈ）になる。
並列に接続するトランジスタＱ２４（ＰＮＰ型）とトランジスタＱ２５（ＮＰＮ型）とは、トランジスタＱ２３のコレクタにベースが接続する。
トランジスタＱ２３のコレクタの電位が高電位になるとトランジスタＱ２４が「ＯＦＦ」になり、トランジスタＱ２５が「ＯＮ」になる。
「ＯＮ」になったトランジスタＱ２５にはコレクタ側からエミッタ側への電流が流れる。トランジスタＱ２５のコレクタ側にはコネクタＣＮ２２の出力端子ＯＵＴ２１が接続し、コネクタＣＮ２２の出力端子ＯＵＴ２２に流れる電流が出力端子ＯＵＴ２１を介してトランジスタＱ２５のコレクタに流れる。
【００３８】
トランジスタＱ２６のエミッタにはＡＣ／ＤＣ変換部１１０からの直流電圧「Ｖｄｄ」が入力される。
したがって、フォトカプラＩＣ２１に電流が流れるとき（調光信号が「オン」のとき）、直流電圧が入力されない側の出力端子ＯＵＴ２１の電位はおおよそ「−Ｖｄｄ」となる。
【００３９】
逆に、フォトカプラＩＣ２１に電流が流れないとき（調光信号が「オフ」のとき）、トランジスタＱ２１とトランジスタＱ２２が「ＯＦＦ」、トランジスタＱ２３が「ＯＮ」、トランジスタＱ２４が「ＯＮ」、トランジスタＱ２５が「ＯＦＦ」、トランジスタＱ２６が「ＯＦＦ」、トランジスタＱ２７が「ＯＮ」になる。
そして、トランジスタＱ２４のコレクタ側に接続する出力端子ＯＵＴ２１が低電位側となり、トランジスタＱ２７のコレクタ側に接続する出力端子ＯＵＴ２２が高電位側となる。
トランジスタＱ２４のエミッタにはＡＣ／ＤＣ変換部１１０からの直流電圧「Ｖｄｄ」が入力され、出力端子ＯＵＴ２１の電位はおおよそ「＋Ｖｄｄ」となる。
【００４０】
以下、コネクタＣＮ２２の出力端子ＯＵＴ２１の電位を調光インタフェース部１２０の出力電圧（信号重畳電圧）の電位とする。
【００４１】
図２（２）に示すように、信号重畳電圧の電位は、調光信号が「オン」のときに「マイナス」となり、調光信号が「オフ」のときに「プラス」となる。
【００４２】
上記のようにして、調光インタフェース部１２０は、ＡＣ／ＤＣ変換部１１０からの直流電圧を調光器１０２からの調光信号に対応する信号重畳電圧に変換する。そして、調光インタフェース部１２０は、出力端子ＯＵＴ２１に接続した電線と出力端子ＯＵＴ２２に接続した電線とを介して、信号重畳電圧を電流制御部１３０に出力する。
信号重畳電圧は、ＡＣ／ＤＣ変換部１１０からの直流電圧と振幅（電圧）がほぼ同じで、調光器１０２からの調光信号のオン／オフに合わせて電圧の正負が変化する電圧である。
【００４３】
図６は、実施の形態１における電流制御部１３０の回路図である。
実施の形態１における電流制御部１３０について、図６に基づいて以下に説明する。
【００４４】
電流制御部１３０は、２本の電線を介して調光インタフェース部１２０から信号重畳電圧を入力し、信号重畳電圧を電力としてＬＥＤ光源部１４０のＬＥＤ群を点灯すると共に信号重畳電圧に基づいてＬＥＤ群を調光する回路である。
【００４５】
信号重畳電圧は、ダイオードブリッジＤＢ３１で整流され、電流制御回路ＩＣ３２の電源電圧端子Ｖｄｄに入力される。
【００４６】
また、信号重畳電圧の電位が「プラス（調光信号が「オフ」）」の場合、抵抗Ｒ３１を介してフォトカプラＩＣ３１の一次側に電流が流れ、フォトカプラＩＣ３１の二次側に電流が流れる。
フォトカプラＩＣ３１の二次側に電流が流れるとフォトカプラＩＣ３１の二次側に接続する抵抗Ｒ３２に電流が流れて抵抗Ｒ３２に電圧が発生し、抵抗Ｒ３２の高電位側にベースが接続するトランジスタＱ３１（ＰＮＰ型）が「ＯＮ」になる。トランジスタＱ３１が「ＯＮ」になると、トランジスタＱ３１のコレクタ側からエミッタ側へ電流が流れ、コレクタに接続する抵抗Ｒ３３に電圧が発生し、コレクタの電位が低電位になる。
電流制御回路ＩＣ３２の調光信号端子ＰＷＭは、トランジスタＱ３１のコレクタに接続する。
したがって、調光信号が「オフ」のとき、電流制御回路ＩＣ３２の調光信号端子ＰＷＭの入力電圧は調光信号と同じく低電圧「０Ｖ」となる。
【００４７】
逆に、信号重畳電圧の電位が「マイナス（調光信号が「オン」）」の場合、フォトカプラＩＣ３１の一次側には電流が流れず、トランジスタＱ３１が「ＯＦＦ」になる。トランジスタＱ３１が「ＯＦＦ」になると、トランジスタＱ３１のコレクタの電位が高電位になり、電流制御回路ＩＣ３２の調光信号端子ＰＷＭの入力電圧が調光信号と同じく高電圧となる。
このとき、信号重畳電圧は、フォトカプラＩＣ３１の一次側と直列に接続する抵抗Ｒ３１とフォトカプラＩＣ１とにより調光信号と同じ「１２Ｖ」に変換されている。
【００４８】
つまり、電流制御回路ＩＣ３２の調光信号端子ＰＷＭは、調光信号と同じく「１２Ｖ」または「０Ｖ」に波形成形された信号（以下、「抽出信号」という）を入力する。
【００４９】
図２（３）に示すように、電流制御回路ＩＣ３２の調光信号端子ＰＷＭに入力される抽出信号は、調光信号が「１２Ｖ（オン）」のときに「１２Ｖ（オン）」であり、調光信号が「０Ｖ（オフ）」のときに「０Ｖ（オフ）」である。
【００５０】
電流制御回路ＩＣ３２にはＦＥＴがスイッチ回路として内蔵される。
電流制御回路ＩＣ３２は、電源電圧端子Ｖｄｄに入力された電圧をスイッチ端子ＳＷから出力する。このとき、電流制御回路ＩＣ３２は調光信号端子ＰＷＭに入力された抽出信号に基づいてＦＥＴをＯＮ／ＯＦＦし、ＦＥＴがＯＮのときにスイッチ端子ＳＷから電圧を出力する。
【００５１】
電流制御回路ＩＣ３２のスイッチ端子ＳＷから出力された電圧はインダクタンスＬ３１およびインダクタンスＬ３１に直列に接続されるＬＥＤ群に電流を流し、ＬＥＤ群は電流の大きさに応じた明るさで点灯する。
ＬＥＤ群に流れた電流は抵抗Ｒ３４を介して電流制御回路ＩＣ３２の接地端子ＧＮＤに流れ込み、抵抗Ｒ３４に発生する電圧がフィードバック端子ＣＳに入力される。
電流制御回路ＩＣ３２は、フィードバック端子ＣＳに入力される電圧に基づいてスイッチ端子ＳＷから出力する電圧をＦＥＴのＯＮ／ＯＦＦにより調整し、抽出信号に対応する明るさでＬＥＤ群を点灯させる。
例えば、電流制御回路ＩＣ３２は、抽出信号のＯｎ−Ｄｕｔｙが「０％」の場合（例えば、調光器１０２から調光信号が出力されていない場合）、ＬＥＤ群を１００％（最大照度）で点灯する。
また、例えば、電流制御回路ＩＣ３２は抽出信号のオン時間が所定時間以上の長さである場合にＬＥＤ群を消灯し、抽出信号のオン時間が所定時間未満の長さである場合にＬＥＤ群を１００％点灯する。
【００５２】
実施の形態１において、例えば、以下のようなＬＥＤ照明システム１００について説明した。
【００５３】
点灯装置は、ＡＣ／ＤＣ変換部、電流制御部、ＬＥＤ光源部および調光インタフェース部を備える。
ＡＣ／ＤＣ変換部は商用電源を直流電源に変換する。
電流制御部は直流電源を定電流に制御する。
ＬＥＤ光源部は電流制御部に接続されＬＥＤを点灯する。
調光インタフェース部は外部からの調光信号（ＰＷＭ信号）により電流制御部を制御して調光制御を行う。
点灯装置は、コンバータ部と調光インタフェース部とから構成される電源部と、直流制御部とＬＥＤ光源部とから構成される光源部とを分離し、電源部と光源部とを２線で接続した構造である。
２線式にすることにより施工性を向上することができる。
【００５４】
点灯装置は、電源部に対して光源部を並列に１つ以上接続可能とする。
従来はＬＥＤを直列に接続し定電流回路を実現していたのでＬＥＤが１個でもオープン故障になると全不点となる。しかし、実施の形態１では光源部を並列接続することで全不点を回避した。また、ＬＥＤを交換可能とすることで部品の交換費用が安くできる。
【００５５】
点灯装置は、外部からの調光信号を変更することなく、簡単な回路で直流電源に調光信号を重畳できる。
重畳する方式は、基本となる調光信号が“Ｈｉｇｈ（オン）”信号の場合、ＡＣ／ＤＣ変換部の出力の直流電源をマイナス側（またはプラス側）に、“Ｌｏｗ（オフ）”信号の場合、ＡＣ／ＤＣ変換部の出力の直流電源をプラス側（またはマイナス側）に変調する。
例えば、調光インタフェース部は調光器から調光信号の入力が無い場合にプラスの直流電源を電流制御部に入力し、電流制御部はＬＥＤを１００％（最大照度）で点灯する。
また、調光インタフェース部にマイコンなどを備え、調光信号をＰＷＭ信号と同等の周波数から商用電源以上の周波数で変調してもよい。つまり、調光信号のオン／オフの時間割合を変えず、調光信号の周波数を変化させてもよい。
例えば、変調周波数をＰＷＭ信号の基本周波数の１０倍以上とし、且つ光ワイヤレス通信などの無線装置の周波数以下に変調することにより、ＬＥＤ照明システム１００とその他の無線装置との誤動作を防ぐことができる。
【００５６】
点灯装置は、光源部に出力する電圧をＬＥＤのＶｆ以上および小勢力回路で規定されるＤＣ４５Ｖ以下ＡＣ３０Ｖ以下とする。
【００５７】
図７は、実施の形態１における信号重畳電圧とＬＥＤに流れる電流波形を示す図である。
調光インタフェース部１２０の信号重畳電圧を図７（１）のような矩形ではなく図７（２）のような台形形状にしてもよい。
信号重畳電圧の立ち上がりおよび立ち下がりを変化させて波形を台形形状とすることにより電源部１０３と光源部１０４を繋ぐ線より発生する高周波のノイズを低減することができる。
【００５８】
調光インタフェース部は、パルス信号のオン信号が所定値以上の長さのとき、光源を消灯させるパルス電圧を光源制御部に出力する。
【００５９】
調光インタフェース部は、パルス信号のオン信号が所定値以下の長さのとき、光源の明るさを最大とさせるパルス電圧を光源制御部に出力する。
【符号の説明】
【００６０】
１００  ＬＥＤ照明システム、１０１ａ，１０１ｂ  商用電源、１０２  調光器、１０３  電源部、１０４，１０４ａ，１０４ｂ  光源部、１１０  ＡＣ／ＤＣ変換部、１２０  調光インタフェース部、１３０，１３０ａ，１３０ｂ  電流制御部、１４０，１４０ａ，１４０ｂ  ＬＥＤ光源部。
【図１】
2010287372.tif 000003
【図２】
2010287372.tif 000004
【図３】
2010287372.tif 000005
【図４】
2010287372.tif 000006
【図５】
2010287372.tif 000007
【図６】
2010287372.tif 000008
【図７】
2010287372.tif 000009